(57)【要約】      （修正有）【課題】簡単な構造で通線口を必要とする場合、しない場合の使い分けができるキャビネットを提供する。【解決手段】機器へ配線するための通線口２をキャビネット１に設け、通線口２は略矩形の開口部２ａと開口部に二ヶ所の通線部２ｂを延設すると共に、通線口２の上下端部近傍にそれぞれ固定穴３ａ、３ｂを形成し、通線口２はカバー５により施蓋可能で、カバー５は通線口２端縁に引っ掛け可能である引っ掛け部５ｂを段曲げ加工した板で構成され、キャビネット１に設けた固定穴３ａ、３ｂに対向する位置に取り付け穴６を設け、キャビネット１へ通線の必要がある場合には、通線口２の下端部に引っ掛け部５ｂを引っ掛け、固定穴３ａと取り付け穴６にそれぞれ固定ねじ７を挿通し固定可能とし、キャビネット１へ通線の必要がない場合には、通線口２の上端部に引っ掛け部５ｂを引っ掛け、固定穴３ｂと取り付け穴６にそれぞれ固定ねじ７を挿通し固定可能とする。【選択図】図３
2007294683.tif 000002
【特許請求の範囲】
【請求項１】
各種機器を収納するためのキャビネットにおいて、前記機器へ配線するための通線口を前記キャビネットに設け、前記通線口は略矩形の開口部と該開口部に二ヶ所の通線部を延設すると共に、前記通線口の上下端部近傍にそれぞれ固定穴を形成し、該通線口はカバーにより施蓋可能で、該カバーは前記通線口端縁に引っ掛け可能である引っ掛け部を段曲げ加工した板で構成され、前記キャビネットに設けた固定穴に対向する位置に取り付け穴を設け、前記キャビネットへ通線の必要がある場合には、前記通線口の下端部に前記引っ掛け部を引っ掛け、前記固定穴と取り付け穴にそれぞれ固定ねじを挿通し固定可能とし、前記キャビネットへ通線の必要がない場合には、前記通線口の上端部に前記引っ掛け部を引っ掛け、前記固定穴と取り付け穴にそれぞれ固定ねじを挿通し固定可能とすることを特徴とするキャビネット。
【発明の詳細な説明】
【技術分野】
【０００１】
本発明は、各種機器を収納するためのキャビネットの通線口に関する。
【背景技術】
【０００２】
キャビネットには通線口を設けて、不要の際には、キャップ等を嵌め込んでおき、使用時に外して通線していた。または、ノックアウト形式で、切断線をつけておいて、必要な時に押して抜いていた。
【０００３】
キャビネットに設けた通線口にシートを貼付し、通線する場合にはシートにカッター等で切れ目を入れていた。
【非特許文献１】カワムララックカタログＮｏ．９  ２００５年８月１日発行
【発明の開示】
【発明が解決しようとする課題】
【０００４】
しかしながら、上記従来技術におけるキャップ等を嵌め込む方法のキャビネットでは、通線口として用いる場合、キャップが不要となり廃棄物となる。また、ノックアウト形式の場合も同様、廃棄物がでるという欠点があった。
【０００５】
また、通線口にシートを貼付する方法では、美観を損ねていた。
【課題を解決するための手段】
【０００６】
そこで本発明は、簡単な構造で通線口を必要とする場合、しない場合の使い分けができるキャビネットを提供することを目的とし、その構造は、機器へ配線するための通線口をキャビネットに設け、通線口は略矩形の開口部と開口部に二ヶ所の通線部を延設すると共に、通線口の上下端部近傍にそれぞれ固定穴を形成し、通線口はカバーにより施蓋可能で、カバーは通線口端縁に引っ掛け可能である引っ掛け部を段曲げ加工した板で構成され、キャビネットに設けた固定穴に対向する位置に取り付け穴を設け、キャビネットへ通線の必要がある場合には、通線口の下端部に引っ掛け部を引っ掛け、固定穴と取り付け穴にそれぞれ固定ねじを挿通し固定可能とし、キャビネットへ通線の必要がない場合には、通線口の上端部に引っ掛け部を引っ掛け、固定穴と取り付け穴にそれぞれ固定ねじを挿通し固定可能とすることを特徴とする。
【発明の効果】
【０００７】
本発明に係るキャビネットは、機器へ配線するための通線口をキャビネットに設け、通線口は略矩形の開口部と開口部に二ヶ所の通線部を延設すると共に、通線口の上下端部近傍にそれぞれ固定穴を形成し、通線口はカバーにより施蓋可能で、カバーは通線口端縁に引っ掛け可能である引っ掛け部を段曲げ加工した板で構成され、キャビネットに設けた固定穴に対向する位置に取り付け穴を設け、キャビネットへ通線の必要がある場合には、通線口の下端部に引っ掛け部を引っ掛け、固定穴と取り付け穴にそれぞれ固定ねじを挿通し固定可能とし、キャビネットへ通線の必要がない場合には、通線口の上端部に引っ掛け部を引っ掛け、固定穴と取り付け穴にそれぞれ固定ねじを挿通し固定可能とするため、キャップ等、別部品を廃棄する必要もなく通線口を設けたり塞いだり選択できる。また、通線口には加工が不要である。
【発明を実施するための最良の形態】
【０００８】
本発明に係るキャビネットの構造を図１〜図５の添付図面に基づいて説明する。
【０００９】
本発明に係るキャビネット１は、機器等を収納し、これらの機器の電源や通信に用いる配線のために通線口２が設けられる。通線口２の形状は、略矩形の開口部２ａに下部を二ヶ所に分けられた通線部２ｂを設け、通線口２の上端部近傍に固定穴３ａを設ける。また、通線部２ｂを二ヶ所に分ける支持部４にも固定穴３ｂを設ける。
【００１０】
通線口２はカバー５で施蓋される構造である。カバー５の取り付け方向により通線口２を通線用に使う場合と、通線口２が不要で完全に塞いで使う場合とに対応できる。カバー５は通線口２の開口部２ａを施蓋する施蓋部５ａと施蓋部５ａに段曲げ加工により引っ掛け部５ｂを形成して構成される。施蓋部５ａには、キャビネット１に設けられた固定穴３に対向する位置に取り付け穴６を設ける。
【００１１】
キャビネット１内部への配線の必要がない場合は、キャビネット１に設けた通線口２を塞いで用いる。カバー５で通線口２全体を施蓋する。カバー５に設けられた引っ掛け部５ｂを、通線口２の下端部に当たる支持部４に引っ掛け、通線口２の上側に設けられた固定穴３ａとキャビネット１に設けられた取り付け穴６を対向させ、固定ねじ７を挿通し締め付け固定する。
【００１２】
キャビネット１内部へ配線する場合には、キャビネット１に設けた通線口２の通線部２ｂを開けた状態で、開口部２ａをカバー５で施蓋する。通線口２を塞ぐ場合と同じカバー５の引っ掛け部５ｂを通線口２の上端部に引っ掛け、通線口２の下側に設けられた固定穴３ｂとキャビネット１に設けられた取り付け穴６を対向させ、固定ねじ７を挿通し締め付け固定する。このとき、通線部２ｂは二ヶ所に分けられているので、キャビネット１内部に引き込む線が、例えば電源線と通信線と二種類ある場合に、線の種類により分けて通線が可能である。電源線と通信線は分離させて配置することで、通信線へ電源線からのノイズが影響しにくくなる。
【００１３】
カバー５は同じものを用いて、通線口２を用いたり、通線口２が不要のときに塞いだり、使い分けができる構造である。キャビネット１には通線口２を設け、カバー５の取り付け方を変更することで使用方法を変更する。そのため、通線口２の加工がその都度必要なく、また、通線口２を設けることで廃棄物が発生することもない。
【００１４】
通線のためのスペースが、通線口２の通線部２ａでは足りない場合には、カバー５を取り外し通線口２を大きく使用することも可能である。
【図面の簡単な説明】
【００１５】
【図１】本発明に係るキャビネットの実施例を示す説明図である。（実施例１）
【図２】本発明に係るキャビネットの実施例を示す説明図である。（実施例１）
【図３】図１における分解斜視図である。（実施例１）
【図４】本発明に係るキャビネットの実施例を示す説明図である。（実施例２）
【図５】図３における分解斜視図である。（実施例２）
【符号の説明】
【００１６】
１    キャビネット
２    通線口
３ａ  固定穴
３ｂ  固定穴
４    支持部
５    カバー
５ａ  施蓋部
５ｂ  引っ掛け部
６    取り付け穴
７    固定ねじ
【図１】
2007294683.tif 000003
【図２】
2007294683.tif 000004
【図３】
2007294683.tif 000005
【図４】
2007294683.tif 000006
【図５】
2007294683.tif 000007